(57)【特許請求の範囲】
【請求項１】
指差確認に用いる作業用手袋であって、
親指部、人差し指部、中指部、薬指部、および小指部のうちの前記人差し指部のみが、その付け根部から先端部まで全体的に他の部分と異なる色に着色されてなり、
前記人差し指部は、黄色と黒の縞模様によって着色されてなる、
ことを特徴とする作業用手袋。
【請求項２】
指差確認に用いる作業用手袋であって、
親指部、人差し指部、中指部、薬指部、および小指部のうちの前記人差し指部のみが、その付け根部から先端部まで全体的に他の部分と異なる色に着色されてなり、
前記人差し指部以外の各指部、各指部に続く手のひら部および手の甲部は、白系統の色である、
ことを特徴とする作業用手袋。
【請求項３】
前記人差し指部は、緑色または黄色によって着色されてなる、
請求項２記載の作業用手袋。
【請求項４】
前記人差し指部に、付け根から先端に向かう方向の矢印マークが設けられている、
請求項２または３記載の作業用手袋。
【請求項５】
前記矢印マークは、前記人差し指部における手のひら側および手の甲側の２ヵ所に設けられている、
請求項４記載の作業用手袋。
【請求項６】
前記人差し指部に、よしと呼称可能な文字が設けられている、
請求項２または３記載の作業用手袋。
【請求項７】
前記文字は、前記人差し指部における手のひら側および手の甲側の２ヵ所に設けられている、
請求項６記載の作業用手袋。
【請求項８】
前記作業用手袋は、綿糸、化繊糸、またはこれらの混合糸を用いて編まれた軍手からなる、
請求項１ないし７のいずれかに記載の作業用手袋。
【発明の詳細な説明】
【技術分野】
【０００１】
本発明は、指差確認に用いる作業用手袋に関する。
【背景技術】
【０００２】
従来より、建設現場、工場、鉄道やバスなどの輸送現場、保安関係の職場などにおいて、作業者の安全対策の１つとして指差呼称が行われている。指差呼称は、注意すべき対象に向かって作業者が人差し指を差し、「よし」「右よし」「後方よし」などと喚呼して安全を確認するための一連の動作である。指差呼称を行うことによって、作業者の緊張感や集中力を高め、ミスや労働災害の発生率を大きく下げる効果があると言われている。
【０００３】
しかし、例えば大勢の乗客の視線に晒される鉄道業務などの現場では指差呼称が徹底し易い傾向にあるが、作業者のみの現場や作業者が作業内容に集中してしまい易い場合などでは指差呼称が行われ難い傾向にある。
【０００４】
従来において、指差呼称の促進に用いる装置が種々提案されている。例えば、特許文献１では、「指差呼称をしてください」などの音声が予め設定された時間ごとにスピーカから出力され、作業者に指差呼称を促すことが提案されている。作業者が指差呼称を実行すると、その音声がマイクロフォンを通じて記録されるので、作業者は予め設定された時間ごとに声を出して指差呼称の確認を励行することになる。
【０００５】
また、特許文献２では、対象物の状態の確認を入力する入力装置を備え、確認者が指差呼称を行ったときに、確認者が把持する加速度センサにより指差呼称を検知して確認の入力を行うようにした確認装置が提案されている。
【先行技術文献】
【特許文献】
【０００６】
【特許文献１】特開２００９−１９８８９４号公報
【特許文献２】特開２０１２−９１８９９号公報
【発明の概要】
【発明が解決しようとする課題】
【０００７】
上に述べた特許文献１の方法によると、設定された時間ごとにスピーカから出力される音声によって作業者に半強制的に指差呼称を思い起こさせるので、指差呼称を行う回数は増えると考えられる。
【０００８】
しかし、指差呼称は設定された時間ごとに行うことになるので、本当に指差呼称が必要な作業に対して実際に指差呼称が行われる保証はない。また、それに用いる装置が大がかりであるため、そのような装置を全ての作業者に携帯させるにはコストやメンテナンスの面で問題がある。
【０００９】
また、特許文献２の方法による場合は、指差呼称を行ったことが加速度センサにより検知され確認信号として入力されるので、これにより指差呼称の確認がなされ、指差呼称を行うことの動機付けとはなるが、指差呼称が実際に必要となった都度に行われるかどうかは分からない。また、装置が大がかりであるため、特許文献１の場合と同様な問題がある。
【００１０】
特に近年においては、現場や事業所での安全対策の徹底や安全意識の向上が叫ばれている。計画・設計段階からの安全対策、工学的な安全措置（安全装置）、マニュアルや安全教育など管理的な安全対策、また、安全帯や防塵マスクなど個人の保護具による安全対策など、種々の安全対策が講じられているが、ヒューマンエラーによる災害をゼロにするのは極めて困難である。
【００１１】
指差確認の必要性は、ヒューマンエラー対策として永年に渡り叫ばれているが、安全管理者が作業者に指差確認の必要性について継続的な教育を行っても、実際に指差確認を行うか否かは作業者の判断に委ねられている。そのため、現実的な対応策として、現場や目につきやすい場所に「指差確認の励行」と書いた看板を掲示して作業者の意識の向上を促す程度に止まっているのが現状である。
【００１２】
本発明は、上述の問題に鑑みてなされたもので、装置が大がかりとなることがなく、低コストでかつメンテナンスが不要で簡便に指差確認を促進させることを目的とする。
【課題を解決するための手段】
【００１３】
本発明に係る実施形態の作業用手袋は、指差確認に用いる作業用手袋であって、親指部、人差し指部、中指部、薬指部、および小指部のうちの前記人差し指部のみが、その付け根部から先端部まで全体的に他の部分と異なる色に着色されてなり、前記人差し指部は、黄色と黒の縞模様によって着色されてなる。
または、親指部、人差し指部、中指部、薬指部、および小指部のうちの前記人差し指部のみが、その付け根部から先端部まで全体的に他の部分と異なる色に着色されてなり、前記人差し指部以外の各指部、各指部に続く手のひら部および手の甲部は、白系統の色である。
【００１４】
好ましくは、前記人差し指部は、緑色または黄色によって着色される。また好ましくは、前記人差し指部に、付け根から先端に向かう方向の矢印マークが設けられる。また、前記人差し指部に、よしと呼称可能な文字が設けられる。
【００１５】
なお、本発明において、「指差確認」は「指差呼称」をも含めた概念として用いる。
【発明の効果】
【００１６】
本発明によると、装置が大がかりとなることがなく、低コストでかつメンテナンスが不要で簡便に指差確認を促進させることができる。
【図面の簡単な説明】
【００１７】
【図１】本発明に係る第１の実施形態の作業用手袋を正面図である。
【図２】第１の実施形態の作業用手袋の使用状態を示す図である。
【図３】本発明に係る第２の実施形態の作業用手袋を正面図である。
【図４】第２の実施形態の作業用手袋の使用状態を示す図である。
【図５】本発明に係る第３の実施形態の作業用手袋を正面図である。
【図６】第３の実施形態の作業用手袋の使用状態を示す図である。
【図７】本発明に係る第４の実施形態の作業用手袋を正面図である。
【図８】第４の実施形態の作業用手袋の使用状態を示す図である。
【発明を実施するための形態】
【００１８】
〔第１の実施形態〕
図１には第１の実施形態の作業用手袋１の正面図が、図２には作業用手袋１の使用状態が、それぞれ示されている。
【００１９】
図１および図２において、作業用手袋１は、綿糸、化繊糸、またはこれらの混合糸を用いて編まれた軍手であり、親指部１１、人差し指部１２、中指部１３、薬指部１４、小指部１５、手のひら部１６、手の甲部１７、および手首部１８などからなる。
【００２０】
親指部１１、人差し指部１２、中指部１３、薬指部１４、および小指部１５は、それぞれ人の各指が入る部分であり、手のひら部１６および手の甲部１７は、それら各指部１１〜１５に続く部分であり、それぞれ手のひらまたは手の甲を覆う。手首部１８は、手のひら部１６および手の甲部１７に続く部分であり、人の手首を覆う。手首部１８にゴム糸を挿通して編み上げて弾力性を持たせることも可能である。
【００２１】
作業用手袋１は、全体として、白色、薄い黄色、または薄い灰色などの白系統の色を呈しており、指差確認に用いるために、人差し指部１２のみが、その付け根部１２ａから先端部１２ｂまで全体的に、他の部分と異なる色に着色されている。つまり、本実施形態において、人差し指部１２以外の各指部１１，１３〜１５、各指部に続く手のひら部１６および手の甲部１７は、白系統の色である。人差し指部１２のみが全体的に着色されている。
【００２２】
なお、付け根部１２ａは、例えば人差し指の第３関節の近辺または第３関節と第２関節との間の辺りとすればよい。したがって、人差し指部１２において着色を施す部分は、第３関節と第２関節との間の辺りから先端部１２ｂまでとすればよい。このような範囲の人差し指部１２の着色によって、作業用手袋１を着用した作業者に指差確認を思い起こさせる。因みに、人差し指部１２の先端のみが着色されていた場合には、人差し指部１２の指先で何かを押したり摘んだりすることを連想させるかも知れないが、全体的な着色でないために人差し指部１２による指差確認を強く意識させることがなく、また、指差確認を行った場合に、着色した指先に意識が集中し勝ちとなり、対象に対する注意や確認への意識が薄れ勝ちとなって、指差確認による緊張感や集中力が損なわれてしまう恐れがある。
【００２３】
さて、人差し指部１２は、緑色（グリーン）によって着色されている。つまり、人差し指部１２は、緑色の着色部１２１となっている。緑色は、一般に安全をイメージする。例えば、日本工業規格において安全標識として定められている緑十字も緑色である。緑色として、例えば５００〜５７０ｎｍ程度の波長の色相が用いられる。また、例えばマンセル２．５Ｇ６．５／１０、２．５Ｇ５．５／１０、またはこれらの近辺の色相が用いられる。
【００２４】
人差し指部１２を緑色に着色するための方法として、編み上がった軍手の人差し指部１２を染料または顔料などで染色する方法がある。また、人差し指部１２に刷毛またはスプレーを用いて塗料などを塗布することでもよい。また、緑色のフィルムを人差し指部１２に巻き付けて覆うことでもよい。また、人差し指部１２には緑色に着色された糸を用いそれ以外の部分には白系統の糸を用いて作業用手袋１を編み上げることでもよい。
【００２５】
なお、染料または塗料などに蛍光材または蓄光材を混合し、またフィルムや糸に蛍光性または蓄光性を持った材料を用いてもよい。蛍光性または蓄光性を持たせることにより、夜や暗い場所でも着色部１２１を容易に明瞭に認識できる。
【００２６】
また、緑色に代えて、黄色（イエロー）としてもよい。つまりこの場合には人差し指部１２を黄色に着色する。黄色は、一般に注意を喚起する色として用いられる。例えば、信号灯において注意を喚起するために黄色または黄色の点滅が用いられている。黄色として、例えば５７０〜５８５ｎｍ程度の波長の色相が用いられる。また、例えばマンセル４．０Ｙ８．５／１２．３、５Ｙ８／１４、５Ｙ８．５／１４、またはこれらの近辺の色相が用いられる。
【００２７】
人差し指部１２を黄色に着色するための方法は、緑色の場合と同様である。また、緑色や黄色に代えて、赤色、橙色、その他の色を用いてもよい。
【００２８】
なお、作業用手袋１は、左右兼用であり、右手または左手のいずれに着用してもよい。また、２つの作業用手袋１を用い両手に着用してもよい。また、手首部１８の端縁部を黄色などで着色しておいてもよい。
【００２９】
図２に示すように、作業用手袋１を着用した作業者が指差確認を行うと、着色された人差し指部１２が対象に向けて差し示されることとなる。作業用手袋１の人差し指部１２以外の部分は白系統であるから、緑色または黄色などに着色された人差し指部１２が目立つこととなり、指差確認を行っていることが視覚的に強調される。これによって、指差確認を行っているという作業者の自覚が増強され、指差確認による緊張感や集中力がより一層高められる。
【００３０】
また、作業用手袋１を着用することにより、着色された人差し指部１２が常に視野に入るので、自分の指先を見ることによって指差確認を行うことが自然と思い出され、つい忘れがちである指差確認の動作が自然に自発的にできるようになる。つまり、作業用手袋１を着用すると、指差確認を行うことを作業者が単純に理解でき、実行し易くなる。
【００３１】
例えば、作業者が作業を開始し、またはそのための行動や動作を行おうとするその瞬間に、人差し指部１２の着色を見て、「あっ、指差確認をするんだ！」と気が付き、反射的に指差確認を実行することとなる。
【００３２】
作業用手袋１は、建設現場、工事現場、製造現場、運輸現場、医療現場、衛生現場、食品現場などでの作業、パトロール、保安、または点検・確認などに欠かせないものであるため、作業用手袋１を着用することに何らの特別の負担が生じるものではなく、着用したことによって何らの不都合を生じるものでもない。つまり、作業者が通常の作業を行うのに必要な作業用手袋１を着用するだけで、それまでは気恥ずかしかったり忘れがちであった指差確認の動作が自発的に確信を持って行えるようになる。
【００３３】
なお、指差確認による効果は、公益財団法人鉄道総合技術研究所による効果検定実験によって確認されている。また、人間の意識レベルを基にした「フェーズ理論」によれば、指差確認によって、普通の意識状態であるフェーズ２から積極的に行動している状態であ
るフェーズ３に引き揚げることが可能であるとされる。
【００３４】
このように、本実施形態の作業用手袋１は、極めて簡単な構造であるので、特別の装置が必要ではなくまた大がかりとなることがなく、低コストでかつメンテナンスが不要であり、簡便に指差確認を促進させ、ミスや労働災害の発生率を低下させることができる。
【００３５】
また、指差確認を行う際に、作業者が「よし」「右よし」「後方よし」「足元よし」「玉掛けヨシ」「アウトリガーヨシ」「安全帯ヨシ」などの喚呼を確認内容に応じて行ってもよい。このような指差確認（指差呼称、指差喚呼）を行うことにより、指差確認による効果を一層大きなものとすることができる。
〔第２の実施形態〕
図３には第２の実施形態の作業用手袋１Ｂの正面図が、図４には作業用手袋１Ｂの使用状態が、それぞれ示されている。
【００３６】
第２の実施形態の作業用手袋１Ｂにおいて、第１の実施形態の作業用手袋１と同じ機能を有する部分には同一の符号を付して説明を省略しまたは簡略化する。以下、同様である。
【００３７】
図３および図４において、作業用手袋１Ｂの人差し指部１２には、作業用手袋１の場合と同様な着色部１２１が設けられ、さらに、付け根から先端に向かう方向の２つの矢印マーク１２２，１２３が設けられている。１つの矢印マーク１２２は人差し指部１２における手の甲側に設けられ、他の１つの矢印マーク１２３は人差し指部１２における手のひら側に設けられる。
【００３８】
人差し指部１２を矢印マーク１２２，１２３を設ける方法として、着色部１２１の上に矢印マーク１２２，１２３を印刷する方法、矢印マーク１２２，１２３を異なる色または材質の糸を用いて編み上げる方法、着色部１２１および矢印マーク１２２，１２３を異なる色または材質の糸を用いて編み上げる方法、または、別途作製した矢印マーク１２２，１２３を所定の位置にコーティングする方法などがある。
【００３９】
第２の実施形態の作業用手袋１Ｂにおいて、矢印マーク１２２，１２３は、指差確認を行ったときに、その対象をより明確に指し示し、対象を一層明確に特定して注意を喚起することに寄与する。矢印マーク１２２，１２３の色は、着色部１２１において目立つ色であればよい。例えば、着色部１２１が緑色である場合に矢印マーク１２２，１２３を赤色などとし、着色部１２１が黄色である場合に矢印マーク１２２，１２３を黒または青色などとすればよい。着色部１２１に対する白抜きであってもよい。また、矢印マーク１２２，１２３に蛍光性または蓄光性を持たせてもよい。
【００４０】
手の甲側および手のひら側の両側に矢印マーク１２２，１２３を設けることにより、指差確認を行ったときに両側から矢印マーク１２２，１２３を見ることができる。また、作業用手袋１Ｂを左右の手のいずれの側に着用した場合でも、矢印マーク１２２，１２３のいずれか１つは作業者から必ず見ることができる。しかし、例えば手のひら側の矢印マーク１２３のみを設けるようにしてもよい。
【００４１】
なお、着色部１２１を設けることなく矢印マーク１２２，１２３のみを設けることも可能である。この場合には、矢印マーク１２２，１２３をできるだけ大きく描いて人差し指部１２において全体的に表示されるようにすればよい。
〔第３の実施形態〕
図５には第３の実施形態の作業用手袋１Ｃの正面図が、図６には作業用手袋１Ｃの使用状態が、それぞれ示されている。
【００４２】
図５および図６において、作業用手袋１Ｃの人差し指部１２には、作業用手袋１の場合と同様な着色部１２１が設けられ、さらに、「よし」と呼称可能な２つの文字１２４，１２５が設けられている。１つの文字１２４は人差し指部１２における手の甲側に設けられ、他の１つの文字１２５は人差し指部１２における手のひら側に設けられる。
【００４３】
文字１２４，１２５を設ける方法として、着色部１２１の上に文字１２４，１２５を印刷する方法、文字１２４，１２５を異なる色または材質の糸を用いて編み上げる方法、着色部１２１および文字１２４，１２５を異なる色または材質の糸を用いて編み上げる方法、または、別途作製した文字１２４，１２５を所定の位置にコーティングする方法などがある。この場合に、文字「よし」の周辺を含めて文字１２４，１２５としてもよい。
【００４４】
文字１２４，１２５は、指差確認を行う際に、作業者が文字１２４，１２５を見て「よし」と喚呼するためのものである。図の例では、「ヨシ！」と片仮名で示されているが、「よし！」「Ｙｏｓｈｉ！」のように平仮名またはローマ字で示してもよく、また、「ヨシ」「よし」「Ｙｏｓｈｉ」のように符号「！」を省略してもよい。また、作業用手袋１Ｃを使用する現場の作業内容に応じて、「玉掛けヨシ」「アウトリガーヨシ」「安全帯ヨシ」など１つまたは複数の重要確認事項を示しておいてもよい。なお、文字１２４，１２５の色は、着色部１２１において目立つ色であればよい。また、文字１２４，１２５に蛍光性または蓄光性を持たせてもよい。
【００４５】
第３の実施形態の作業用手袋１Ｃによると、指差確認において、作業者の目前で「よし」を含む文字１２４，１２５が見えるので、「よし」を含む喚呼が自然に自発的に行われるようになり、指差確認による効果が一層大きくなる。
【００４６】
なお、着色部１２１を設けることなく文字１２４，１２５のみを設けることも可能である。この場合に、例えば多数の文字を描き、人差し指部１２において多数の文字によって全体的に表示されるようにしてもよい。各文字の方向をランダムにしてもよい。
〔第４の実施形態〕
図７には第４の実施形態の作業用手袋１Ｄの正面図が、図８には作業用手袋１Ｄの使用状態が、それぞれ示されている。
【００４７】
図７および図８において、作業用手袋１Ｄの人差し指部１２には、作業用手袋１の場合と同様な着色部１２１が設けられ、さらに、黒の平行線または螺旋からなる縞模様１２６が設けられている。つまり、例えば着色部１２１が緑色である場合には緑色と黒の縞模様１２６となり、例えば着色部１２１が黄色である場合には黄色と黒の警戒色である縞模様１２６となる。なお、黄色と黒の両方またはいずれ片方に蛍光性または蓄光性を持たせてもよい。
【００４８】
縞模様１２６を設ける方法として、着色部１２１の上に縞模様１２６を印刷する方法、着色部１２１および縞模様１２６を異なる色または材質の糸を用いて編み上げる方法、または、別途作製した縞模様１２６を所定の位置にコーティングする方法などがある。
【００４９】
第４の実施形態の作業用手袋１Ｄによると、人差し指部１２における縞模様１２６が目立つので、指差確認を行っていることが視覚的に一層強調される。特に、黄色と黒の警戒色の縞模様１２６となる場合には、人差し指部１２に最大限の注意が喚起され、指差確認による効果が一層大きい。
〔まとめ〕
上に述べた各実施形態によると、装置が大がかりとなることがなく、低コストでかつメンテナンスが不要であり、簡便に指差確認を促進させることができる。
【００５０】
上に述べた実施形態においては、作業用手袋１、１Ｂ〜１Ｄを軍手としたので、作業用に適し、かつ指差確認が必要となったときにそのまま指差確認を実行することができる。また軍手であるので低コストであり、汚れた場合に使い捨てとすることが可能である。しかし、軍手以外の手袋、例えば皮手袋、ゴム手袋、プラスチック手袋、またはビニール手袋などであってもよい。
【００５１】
例えば、医療・衛生現場または食品現場においては、透明または半透明のプラスチック手袋がしばしば用いられるが、そのようなプラスチック手袋を用いて作業用手袋１とすることが可能である。プラスチック手袋を用いて作業用手袋１とすることによって、医療器具、薬品、または食材などを対象とする指差確認が促進され、医療現場などにおけるミスの防止に効果を発揮する。
【００５２】
上に述べた実施形態においては、作業用手袋１、１Ｂ〜１Ｄの人差し指部１２以外の部分を白系統としたが、これ以外の色、例えば茶色、灰色、黒色、青色、黄色、またはピンク色などとしてもよい。
【００５３】
また、作業用手袋１を図案として描きかつ「指差確認」「指差呼称」「ヨシ！」などの文字を記した看板を、現場などの随所に掲示し、指差確認の啓蒙を図ってもよい。
【００５４】
その他、人差し指部１２、着色部１２１、矢印マーク１２２，１２３、文字１２４，１２５、縞模様１２６、または作業用手袋１，１Ｂ〜１Ｄの各部または全体の構成、構造、形状、個数、材料、色などは、本発明の主旨に沿って適宜変更することができる。
【００５５】
本発明の作業用手袋は、建設、工事、製造、運輸、医療、衛生、食品などの各種の現場や職場における作業用、パトロール用、保安用、点検・確認用などの種々の用途において、指差確認のための手袋として用いることができる。
【符号の説明】
【００５６】
１，１Ｂ〜１Ｄ  作業用手袋
１１  親指部
１２  人差し指部
１２ａ  付け根部
１２ｂ  先端部
１３  中指部
１４  薬指部
１５  小指部
１６  手のひら部
１７  手の甲部
１２１  着色部
１２２，１２３  矢印マーク
１２４，１２５  文字
１２６  縞模様
【図１】
0006483471.tif 000002
【図２】
0006483471.tif 000003
【図３】
0006483471.tif 000004
【図４】
0006483471.tif 000005
【図５】
0006483471.tif 000006
【図６】
0006483471.tif 000007
【図７】
0006483471.tif 000008
【図８】
0006483471.tif 000009